(57)【要約】【課題】  作業中におけるビットの交換を迅速かつ容易に行えるようにするとともに、作業能率及び作業性の更なる向上を図る。【解決手段】  少なくとも、ビットＢが着脱する着脱機構部２と、この着脱機構部２を電動で回転させる電動駆動部３を備える電動ドライバ１を構成するに際して、着脱機構部２を、ビットＢを挿入した際にビットＢを保持するチャック機構部５と、変位させることによりチャック機構部５によるビットＢの保持を解除する保持解除機構部６と、ビットＢの保持を解除した際にビットＢを前方Ｆｆに押し出す押出機構部７を備えて構成する。【選択図】  図１
2007105835.tif 000002
【特許請求の範囲】
【請求項１】
少なくとも、ビットが着脱する着脱機構部と、この着脱機構部を電動で回転させる電動駆動部を備える電動ドライバにおいて、前記着脱機構部は、ビットを挿入した際にビットを保持するチャック機構部と、変位させることにより前記チャック機構部によるビットの保持を解除する保持解除機構部と、ビットの保持を解除した際にビットを前方に押し出す押出機構部を備えることを特徴とする電動ドライバ。
【請求項２】
前記チャック機構部は、ビットを挿入する挿着孔を有する保持筒体部と、前記保持筒体部の径方向に変位自在に支持され、かつ前記挿着孔に挿入されたビットに設けた凹部に係止する係止位置又は係止が解除される係止解除位置に変位するように、周方向へ所定間隔おきに配した複数のボール部材を有するストッパ機構部を備えることを特徴とする請求項１記載の電動ドライバ。
【請求項３】
前記ストッパ機構部は、前記保持筒体部における軸方向の異なる二位置に配設することを特徴とする請求項２記載の電動ドライバ。
【請求項４】
前記保持解除機構部は、前記保持筒体部の外周面にスライド自在に装填し、かつビットを保持する保持位置又は保持を解除する保持解除位置に変位する操作筒部と、この操作筒部を前記保持位置側に付勢するスプリング部材と、前記操作筒部の内周面に設けることにより前記保持位置で前記ボール部材を係止位置に規制する凸部を備えることを特徴とする請求項２記載の電動ドライバ。
【請求項５】
前記押出機構部は、ビットの後端部に当接する当接部材と、この当接部材を前方に押し出すスプリング部材を備えることを特徴とする請求項１記載の電動ドライバ。
【発明の詳細な説明】
【技術分野】
【０００１】
本発明は、ビットが着脱する着脱機構部及びこの着脱機構部を電動で回転させる電動駆動部を備える電動ドライバに関する。
【背景技術】
【０００２】
従来、別体に形成した複数の異なるビット（ドライバビット）から選択した任意のビットを本体部に装着するとともに、本体部に内蔵するモータ等の動力によりビットを回転させるようにした電動ドライバは広く知られている。
【０００３】
例えば、特開２００１−６２７４５号公報には、電動モータの出力部とビットを保持するビットホルダとの間に介在されて、締付けトルクが所定値に達した時点で電動モータからビットホルダヘの動力伝達を遮断するよう作動するクラッチ機構と、このクラッチ機構における締付けトルクが所定値に達したのに伴い押圧移動される可動側部材の移動位置を検出することによって電動モータの回転を停止させるブレーキ検出手段を備え、ブレーキ検出手段は、可動側部材に設けられたブレーキ用被検出体と、可動側部材がクラッチ機構の作動により移動したときにブレーキ用被検出体に対向する位置に近接配置されて、対向したブレーキ用被検出体を非接触で検出して電動モータへの通電を遮断し、かつ電動モータに発電制動をかけるためのブレーキ信号を出力するブレーキ用位置検出素子とにより構成された電動ドライバが開示されている。
【特許文献１】特開２００１−６２７４５号
【発明の開示】
【発明が解決しようとする課題】
【０００４】
ところで、上述した従来の電動ドライバの場合、ビットを本体部に装着する際は、当該ビットを本体部の装着孔に挿入するのみで、ワンタッチで装着することができる。しかし、本体部からビットを抜脱する際は、通常、操作筒部を変位させ、ビットに対する保持を解除しつつビットを本体部から引き抜く必要があるため、ビットの交換作業が面倒となる問題があった。即ち、従来の電動ドライバの場合、操作筒部を変位させる操作とビットを引き抜く操作の双方を一緒に行う必要があるため、電動ドライバ（本体部）を台等の上に置いた状態で行う必要があるなど、特に、作業中におけるビットの交換を迅速かつ容易に行うことができないとともに、作業能率や作業性を低下させる要因となっていた。
【０００５】
本発明は、このような背景技術に存在する課題を解決した電動ドライバの提供を目的とするものである。
【課題を解決するための手段】
【０００６】
本発明は、上述した課題を解決するため、少なくとも、ビットＢが着脱する着脱機構部２と、この着脱機構部２を電動で回転させる電動駆動部３を備える電動ドライバ１を構成するに際して、着脱機構部２を、ビットＢを挿入した際にビットＢを保持するチャック機構部５と、変位させることによりチャック機構部５によるビットＢの保持を解除する保持解除機構部６と、ビットＢの保持を解除した際にビットＢを前方Ｆｆに押し出す押出機構部７を備えて構成したことを特徴とする。
【０００７】
この場合、発明の好適な態様により、チャック機構部５は、ビットＢを挿入する挿着孔１０ｓを有する保持筒体部１０と、保持筒体部１０の径方向Ｆｄに変位自在に支持され、かつ挿着孔１０ｓに挿入されたビットＢに設けた凹部Ｂｓａ，Ｂｓｂに係止する係止位置Ｘｓ又は係止が解除される係止解除位置Ｘｒに変位するように、周方向Ｆｓへ所定間隔おきに配した複数のボール部材１１ａ…，１２ａ…，１３ａ…を有するストッパ機構部１４ａ…を備えて構成できる。なお、このストッパ機構部１４ａ，１４ｂは、保持筒体部１０における軸方向Ｆａの異なる二位置に配設することができる。一方、保持解除機構部６は、保持筒体部１０の外周面にスライド自在に装填し、かつビットＢを保持する保持位置Ｘｈ又は保持を解除する保持解除位置Ｘｉに変位する操作筒部１５と、この操作筒部１５を保持位置Ｘｈ側に付勢するスプリング部材１６と、操作筒部１５の内周面に設けることにより保持位置Ｘｈでボール部材１１ａ…，１２ａ…，１３ａ…を係止位置Ｘｓに規制する凸部１５ａ，１５ｂを備えて構成できる。また、押出機構部７は、ビットＢの後端部Ｂｒに当接する当接部材１７と、この当接部材１７を前方Ｆｆに押し出すスプリング部材１８を備えて構成できる。
【発明の効果】
【０００８】
このような構成を有する本発明に係る電動ドライバ１によれば、次のような顕著な効果を奏する。
【０００９】
（１）  本体部からビットＢを抜脱するに際し、保持解除機構部６によりビットＢの保持を解除することにより、押出機構部７によりビットＢが前方Ｆｆに押し出されるため、片手によりビットＢを抜脱する操作が可能となり、作業中におけるビットＢの交換を迅速かつ容易に行うことができるとともに、作業能率及び作業性の更なる向上に寄与することができる。
【００１０】
（２）  好適な態様により、チャック機構部５を、ビットＢを挿入する挿着孔１０ｓを有する保持筒体部１０と、保持筒体部１０の径方向Ｆｄに変位自在に支持され、かつ挿着孔１０ｓに挿入されたビットＢに設けた凹部Ｂｓａ，Ｂｓｂに係止する係止位置Ｘｓ又は係止が解除される係止解除位置Ｘｒに変位するように、周方向Ｆｓへ所定間隔おきに配した複数のボール部材１１ａ…を有するストッパ機構部１４ａ…を備えて構成すれば、既存の機構を改造するなどにより容易かつ低コストに実施することができる。
【００１１】
（３）  好適な態様により、ストッパ機構部１４ａ，１４ｂを、保持筒体部１０における軸方向Ｆａの異なる二位置に配設すれば、各種ビットＢ…に対応することができ、より汎用性を高めることができる。
【００１２】
（４）  好適な態様により、保持解除機構部６を、保持筒体部１０の外周面にスライド自在に装填し、かつビットＢを保持する保持位置Ｘｈ又は保持を解除する保持解除位置Ｘｉに変位する操作筒部１５と、この操作筒部１５を保持位置Ｘｈ側に付勢するスプリング部材１６と、操作筒部１５の内周面に設けることにより保持位置Ｘｈでボール部材１１ａ…を係止位置Ｘｓに規制する凸部１５ａ，１５ｂを備えて構成すれば、既存の機構を改造するなどにより容易かつ低コストに実施することができる。
【００１３】
（５）  好適な態様により、押出機構部７を、ビットＢの後端部Ｂｒに当接する当接部材１７と、この当接部材１７を前方Ｆｆに押し出すスプリング部材１８を備えて構成すれば、既存の機構を改造するなどにより容易かつ低コストに実施することができる。
【発明を実施するための最良の形態】
【００１４】
次に、本発明に係る最良の実施形態を挙げ、図面に基づき詳細に説明する。
【００１５】
まず、本実施形態に係る電動ドライバ１の構成について、図１〜図５を参照して説明する。
【００１６】
図２に、電動ドライバ１の外観側面図を示す。２１は電動ドライバ１の本体部であり、この本体部２１に別体に形成したビット（ドライバビット）Ｂを着脱して使用することができる。本体部２１は、全体を覆うハウジング部２２を有するとともに、モータを含む電動駆動部３（図１）を内蔵する本体主部２３と、この本体主部２３から下方に延出したグリップ部２４と、このグリップ部２４の下端に設けたバッテリ装着部２５及びグリップ部２４の前面上端に配した電源スイッチ２６を備える。そして、本体主部２３の前端からは、着脱機構部２が突出し、この着脱機構部２に、ビットＢが着脱するとともに、この着脱機構部２は、電動駆動部３の動力により回転する。
【００１７】
一方、ビットＢは、図１及び図３に示すように、全体を六角棒状に一体形成し、両端には種類の異なるビット部Ｂｐ，Ｂｑを有する。また、ビット部Ｂｑの近傍における二位置には、リング溝状の凹部Ｂｓａ，Ｂｓｂを周方向Ｆｓに形成する。なお、他方のビット部Ｂｐの近傍における二位置にも、同様の凹部Ｂｓａ，Ｂｓｂを形成する。
【００１８】
本体部２２における着脱機構部２は、本発明の要部を構成し、図１に示すように、ビットＢを挿入した際にビットＢを保持するチャック機構部５と、変位させることによりチャック機構部５によるビットＢの保持を解除する保持解除機構部６と、ビットＢの保持を解除した際にビットＢを前方Ｆｆに押し出す押出機構部７を備える。
【００１９】
チャック機構部５は、ビットＢを挿入する挿着孔１０ｓを有する保持筒体部１０を備える。この挿着孔１０ｓの断面は、ビットＢの断面形状にほぼ一致する六角に形成する。また、チャック機構部５は、保持筒体部１０の径方向Ｆｄに変位自在に支持され、かつ挿着孔１０ｓに挿入されたビットＢに設けた凹部Ｂｓａ，Ｂｓｂに係止する係止位置Ｘｓ又は係止が解除される係止解除位置Ｘｒに変位するように、周方向Ｆｓへ所定間隔おきに配した複数のボール部材１１ａ…，１２ａ…，１３ａ…を有するストッパ機構部１４ａ…を備える。この場合、保持筒体部１０における軸方向Ｆａの異なる二位置にそれぞれストッパ機構部１４ａ，１４ｂを設ける。このように、ストッパ機構部１４ａ，１４ｂを、保持筒体部１０における軸方向Ｆａの異なる二位置に設ければ、各種ビットＢに対応することができ、より汎用性を高めることができる利点がある。
【００２０】
一方のストッパ機構部１４ａは、図３に示すように、保持筒体部１０の径方向Ｆｄに貫通する三つのガイド孔３１ａ，３２ａ，３３ａを、保持筒体部１０の周方向Ｆｓに対して１２０〔°〕間隔で形成し、このガイド孔３１ａ，３２ａ，３３ａに、それぞれボール部材１１ａ，１２ａ，１３ａを収容して構成する。また、他方のストッパ機構部１４ｂも一方のストッパ機構部１４ａと同様に構成する。この場合、各ストッパ機構部１４ａ，１４ｂの構成は、同一であってもよいし異ならせてもよい。異ならせる場合には、ボール部材１１ａ…，１１ｂ…の数量や周方向Ｆｓの位置等を異ならせることができる。なお、少なくともストッパ機構部１４ａにおけるガイド孔３１ａ，３２ａ，３３ａの内周面側には、挿着孔１０ｓに対してボール部材１１ａ，１２ａ，１３ａが必要以上に進入しないように規制する規制片３１ｓ，３２ｓ…を設ける（図５参照）。
【００２１】
保持解除機構部６は、保持筒体部１０の外周面にスライド自在に装填し、かつビットＢを保持する保持位置Ｘｈ又は保持を解除する保持解除位置Ｘｉに変位する操作筒部１５を備える。操作筒部１５は、円筒状に形成し、外周面には、図２に示す滑止めの凹凸形状部３５を設けるとともに、前端には、保持筒体部１０の端面に当接可能なストッパ部３６を一体形成する。また、操作筒部１５の内周面には、保持位置Ｘｈでガイド孔３１ａ…，３２ａ…，３３ａ…の開口に対面するリング条状の凸部１５ａ，１５ｂを周方向Ｆｓに沿って設ける。したがって、この凸部１５ａ，１５ｂは、操作筒部１５を保持位置Ｘｈに変位させた際に、各ガイド孔３１ａ…の外周面側の開口に対面し、各ボール部材１１ａ…を係止位置Ｘｓに規制することによりビットＢを保持するとともに、操作筒部１５を保持解除位置Ｘｉに変位させた際には、各ガイド孔３１ａ…の外周面側の開口から離間し、各ボール部材１１ａ…の係止解除位置Ｘｒへの変位を許容する。さらに、保持筒体部１０の外周面と操作筒部１５の内周面間には、スプリング部材１６を介装し、操作筒部１５を保持位置Ｘｈ側に付勢する。
【００２２】
押出機構部７は、ビットＢの後端部Ｂｒに当接する当接部材１７と、この当接部材１７を前方Ｆｆに押し出すスプリング部材１８を備える。当接部材１７は、図４に示すように、筒状に形成した当接部材本体部１７ｍと、この後端外周面に一体形成した大径のストッパ部１７ｓと、当接部材本体部１７ｍの前端面に凹状のテーパ面により形成し、ビットＢの後端部Ｂｒが当接する当接面１７ｔと、当接部材本体部１７ｍの後端面から軸方向に形成したスプリング部材収容凹部１７ｉを有する。このため、保持筒体部１０の後端には、当接部材１７を収容する当接部材収容部３８を形成し、この当接部材収容部３８に、当接部材１７及びこの当接部材１７を前方Ｆｆに付勢するスプリング部材１８を収容する。当接部材収容部３８の後端開口は、蓋部材３９により閉塞する。これにより、スプリング部材１８は、当接部材１７におけるスプリング部材収容凹部１７ｉと蓋部材３９間に圧縮された状態で介装され、自然状態における当接部材１７は、図５に示すように、各ガイド孔３１ａ…の内周面側の開口を閉じる位置で、ストッパ部１７ｓが保持筒体部１０側に係止し、その位置が規制される。なお、４１は、保持筒体部１０の後端に一体形成したジョイント部であり、このジョイント部４１に電動駆動部３の回転出力部が連結される。
【００２３】
次に、本実施形態に係る電動ドライバ１の機能及び動作について、図１〜図７を参照して説明する。
【００２４】
まず、ビットＢを本体部２１に装着する。図５は、着脱機構部２におけるビットＢの未装着状態を示し、当接部材１７は、スプリング部材１８により前方Ｆｆに付勢され、最前進位置において保持筒体部１０に係止した状態にある。この場合、後側のストッパ機構部１４ｂにおける各ガイド孔３１ａ…の内周面側の開口は、当接部材１７により閉じられるため、各ボール部材１１ｂ…は、係止解除位置Ｘｒに位置するとともに、前側のストッパ機構部１４ａの各ボール部材１１ａ…は、規制片３１ｓ…により規制されつつ係止解除位置Ｘｒにも変位自在な状態にある。したがって、操作筒部１５の凸部１５ｂは、後側のストッパ機構部１４ｂの各ボール部材１１ｂ…により後方への変位が規制されるため、操作筒部１５は、保持解除位置Ｘｉに保持される。
【００２５】
そして、この状態において、ビットＢを、挿着孔１０ｓにそのまま挿入することができる。図６は、ビットＢの挿入途中を示す。ビットＢは、挿着孔１０ｓを後方に進入し、後端部Ｂｒが当接部材１７の当接面１７ｔに当接することにより、スプリング部材１８の付勢力に抗して当接部材１７を後退させる。
【００２６】
また、図１に示すように、ビットＢの凹部Ｂｓａ…が、ガイド孔３１ａ…の開口に対面すれば、各ボール部材１１ａ…は、係止位置Ｘｓに変位、即ち、凹部Ｂｓａ…に進入し、ビットＢの軸方向の位置が保持（固定）される。この場合、操作筒部１５は、スプリング部材１６により後方に付勢されているため、後側の凹部Ｂｓｂが、ガイド孔３１ｂ…の開口に対面すれば、後側の凸部１５ｂによりボール部材１１ｂ…が押されて係止位置Ｘｓに変位し、操作筒部１５は、図１に示す保持位置Ｘｈに変位する。この際、ビットＢは、クリック的に停止する。さらに、前側の凸部１５ａもガイド孔３１ａ…の開口に対面するため、ボール部材１１ａ…の位置が係止位置Ｘｓに規制される。よって、ビットＢは着脱機構部２により保持され、ビットＢをワンタッチで装着することができる。図１に、この状態を示す。
【００２７】
これにより、電源スイッチ２６を手で押せば、電源がＯＮし、電動駆動部３が作動することにより、着脱機構部２が回転する。そして、この着脱機構部２に保持されたビットＢが回転し、電動ドライバ１を使用することができる。なお、電動駆動部３（ビットＢ）の回転方向（正転方向又は逆転方向）は、不図示の切換スイッチにより切換えることができる。
【００２８】
一方、ビットＢの交換は次のように行う。まず、図７に示すように、一方の手（不図示）で本体部２１（グリップ部２４）を持ち、他方の手Ｈｒで操作筒部１５を前方Ｆｆへ引き操作する。これにより、操作筒部１５は、保持解除位置Ｘｉへ変位し、凸部１５ａ…は、ガイド孔３１ａ…から離間し、ボール部材１１ａ…は、係止解除位置Ｘｒへの変位が許容される状態となる。この結果、ビットＢも前方Ｆｆへ変位可能となる。この際、ビットＢの後端部Ｂｒは、押出機構部７における当接部材１７に当接し、かつ当接部材１７は、スプリング部材１８により付勢されているため、この押出機構部７により、ビットＢは前方Ｆｆに押し出される。図７に、この状態を示す。ビットＢが押し出された状態では、当接部材１７は、最前進位置に位置するため、図５に示した未装着状態の着脱機構部２のように、操作筒部１５は、保持解除位置Ｘｉに保持（固定）される。
【００２９】
したがって、ビットＢは、この状態でそのまま抜き取ることができる。即ち、他方の手ＨｒのみでビットＢを着脱機構部２から抜脱することができる。また、交換する新たなビットＢは、上述したビットＢを装着する際の手順に従って、着脱機構部２に対してワンタッチで装着することができる。
【００３０】
このように、本実施形態に係る電動ドライバ１によれば、本体部２１からビットＢを抜脱するに際し、保持解除機構部６によりビットＢの保持を解除することにより、押出機構部７によりビットＢが前方Ｆｆに押し出されるため、片手によりビットＢを抜脱する操作が可能となり、作業中におけるビットＢの交換を迅速かつ容易に行うことができるとともに、作業能率及び作業性の更なる向上に寄与することができる。
【００３１】
特に、チャック機構部５は、ビットＢを挿入する挿着孔１０ｓを有する保持筒体部１０と、保持筒体部１０の径方向Ｆｄに変位自在に支持され、かつ挿着孔１０ｓに挿入されたビットＢに設けた凹部Ｂｓａ，Ｂｓｂに係止する係止位置Ｘｓ又は係止が解除される係止解除位置Ｘｒに変位するように、周方向Ｆｓへ所定間隔おきに配した複数のボール部材１１ａ…を有するストッパ機構部１４ａ…により構成し、また、保持解除機構部６は、保持筒体部１０の外周面にスライド自在に装填し、かつビットＢを保持する保持位置Ｘｈ又は保持を解除する保持解除位置Ｘｉに変位する操作筒部１５と、この操作筒部１５を保持位置Ｘｈ側に付勢するスプリング部材１６と、操作筒部１５の内周面に設けることにより保持位置Ｘｈでボール部材１１ａ…を係止位置Ｘｓに規制する凸部１５ａ，１５ｂにより構成するとともに、押出機構部７は、ビットＢの後端部Ｂｒに当接する当接部材１７と、この当接部材１７を前方Ｆｆに押し出すスプリング部材１８により構成したため、既存の機構を改造するなどにより容易かつ低コストに実施できる利点がある。
【００３２】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３３】
例えば、電動ドライバ１の構成において、電動駆動部３の電源としてバッテリタイプを例示したが、ＡＣ電源により直接駆動するタイプであっても勿論よい。一方、ストッパ機構部１４ａ，１４ｂは、前後に一対配した場合を示したが、一方のみで構成する場合を排除するものではない。また、各ストッパ機構部１４ａ…におけるボール部材１１ａ…は、ビットＢの六角に対応して三つのボール部材１１ａ…を用いた場合を示したが、二つのボール部材１１ａ…又は四つ以上のボール部材１１ａ…を用いる場合を排除するものではない。したがって、ビットＢも六角のみならず四角などの他の形状に対しても同様に適用することができる。その他、チャック機構部５，保持解除機構部６，押出機構部７等は、例示の構成に限定されるものではなく、同様の機能を有する他の構成により置換することができる。なお、ビットとは、ドライバビットのみならず、ドリルやキリ等の各種ビットを含む概念である。
【図面の簡単な説明】
【００３４】
【図１】本発明の最良の実施形態に係る電動ドライバの要部を示す断面側面図、
【図２】同電動ドライバの外観側面図、
【図３】同電動ドライバにおける着脱機構部のストッパ機構部の断面正面図、
【図４】同電動ドライバにおける当接部材の一部断面側面図、
【図５】同電動ドライバにおけるビットの未装着状態の着脱機構部を抽出して示す断面側面図、
【図６】同電動ドライバにおけるビットの挿入途中の着脱機構部を抽出して示す断面側面図、
【図７】同電動ドライバにおけるビットを着脱機構部から抜脱する際の状態を示す要部の断面側面図、
【符号の説明】
【００３５】
１    電動ドライバ
２    着脱機構部
３    電動駆動部
５    チャック機構部
６    保持解除機構部
７    押出機構部
１０  保持筒体部
１０ｓ  挿着孔
１１ａ…  ボール部材
１２ａ…  ボール部材
１３ａ…  ボール部材
１４ａ…  ストッパ機構部
１５  操作筒部
１６  スプリング部材
１７  当接部材
１８  スプリング部材
Ｆｆ  前方
Ｆｄ  径方向
Ｆｓ  周方向
Ｆａ  軸方向
Ｂｓａ  凹部
Ｂｓｂ  凹部
Ｘｓ  係止位置
Ｘｒ  係止解除位置
Ｘｈ  保持位置
Ｘｉ  保持解除位置
【図１】
2007105835.tif 000003
【図２】
2007105835.tif 000004
【図３】
2007105835.tif 000005
【図４】
2007105835.tif 000006
【図５】
2007105835.tif 000007
【図６】
2007105835.tif 000008
【図７】
2007105835.tif 000009